(57)【要約】【課題】目的は、追焚運転モードと気泡運転モードとを切替え可能な循環アダプタにおいて、高温湯水に対する安全装置機能を損なうことなく、両運転モードの自動切替えと手動切替えとを両立させることである。【解決手段】操作部７４を第１操作位置に操作し、操作パネル９上で追焚運転モードを選択すると、コントローラ８の指示によりポンプ７及び第２熱供給部６が作動を開始し、加熱された湯水は往路１４を通り吸入室３９に導入される。軸受け部材４８が傾斜部７３に摺接しているため、弁軸４５を第２切替弁４７が閉弁し遮断部４９が開弁する第１位置となっているが、形状記憶合金製バネ５８が伸張して弁軸４５を第２位置、所謂軸受け部材４８と傾斜部７３とが離間する状態に切替え、高温の湯水を追焚噴流噴出口２６に誘導する。【選択図】  図８
2010096385.tif 000002
【特許請求の範囲】
【請求項１】
追焚運転モードで追焚噴流を噴出する追焚噴流噴出口と、この追焚噴流噴出口と連通される追焚噴流流路と、気泡運転モードで気泡噴流を噴出させる気泡噴流噴出口と、この気泡噴流噴出口と連通される気泡噴流流路と、前記追焚噴流流路と気泡噴流流路とを択一的に選択する噴流流路選択手段とを有する循環アダプタにおいて、
前記噴流流路選択手段は、噴流温度に応じて両噴流流路を択一的に選択可能な温度感応部材を有すると共に、前記両噴流流路を手動操作により切替え可能な手動操作部材を有することを特徴とする循環アダプタ。
【請求項２】
前記噴流流路選択手段は、前記温度感応部材に作動的に連結された弁軸の一端側に装着された弁体を有し、前記手動操作部材を前記弁軸と直交する面方向への操作によって前記弁軸を移動させると共に、この弁軸の移動に伴い前記弁体を気泡噴流流路を選択する第１位置と追焚噴流流路を選択する第２位置とに亙って切替え可能に構成することを特徴とする請求項１に記載の循環アダプタ。
【請求項３】
前記手動操作部材は、前記弁軸の他端側に固定された軸受け部材と、この軸受け部材に摺接可能で且つ前記弁軸と直交する面に対して傾斜した傾斜部を有する摺動部材とを有し、この摺動部材の移動によって前記軸受け部材が前記弁軸方向に進退可能に構成することを特徴とする請求項２に記載の循環アダプタ。
【請求項４】
前記気泡噴流噴出口の周囲に円弧状に形成されると共に前記摺動部材の移動をガイドする円弧状溝部を設け、前記手動操作部材は、前記摺動部材を手動操作可能な操作部を有することを特徴とする請求項３に記載の循環アダプタ。
【請求項５】
前記摺動部材に係合部を形成すると共に、前記摺動部材の係合部に係合可能で且つ前記摺動部材を前記弁体が第１位置となるよう前記軸受け部材を移動させる第１操作位置と前記弁体が第２位置となるよう前記軸受け部材を移動させる第２操作位置とに位置決めする被係合部を循環アダプタ本体側壁部に形成することを特徴とする請求項３または４に記載の循環アダプタ。
【請求項６】
前記第１操作位置の前記傾斜部の前記壁部からの高さは前記第２操作位置の前記傾斜部の前記壁部からの高さよりも低く形成されると共に、前記温度感応部材は所定温度以上で前記弁体を第２位置に切替えることを特徴とする請求項５に記載の循環アダプタ。
【発明の詳細な説明】
【技術分野】
【０００１】
本発明は風呂給湯器から浴槽に湯水を供給するために浴槽に取付けて使用される循環アダプタに関し、特に、追焚噴流を噴出する追焚噴流噴出口と気泡噴流を噴出する気泡噴流噴出口とを備えた循環アダプタに関するものである。
【背景技術】
【０００２】
従来、浴槽の風呂給湯システムは、風呂給湯器から新規な高温の湯水が供給される注湯運転モード、浴槽内の湯水を再度給湯器に戻して加熱、再供給する追焚運転モード、微細な気泡を湯水に混在させて気泡噴流を噴出させる気泡運転モード、更には、湯水に超音波振動を与えて噴出させる超音波運転モード等消費者のニーズに合せて様々な湯水の供給形態を有している。
【０００３】
また、使用する運転モードによって、湯水の噴出方向を任意に切替えたいという要求が存在している。特許文献１は、浴槽に取付けられる噴流噴出口、所謂循環アダプタに正面を向く噴出口と下方を向く噴出口とを設け、夫々の噴出口に対応した開口を有する手動操作可能な可動部材によって気泡噴流方向を変更可能とした技術が提案されている。
特許文献１では、使用者の要求に応じて、弱い噴流で入浴したい場合と強い噴流を直接受けたい場合との噴出口の向きを任意に手動操作で変更できる。
【０００４】
このように、噴出口の向きを手動操作可能な場合、使用者の要求を満たすことができる反面、運転モードの切替え毎に操作する手間が掛かるという課題が生じる。更に、噴流の噴出方向を正面にした状態で追焚運転モードにした場合、高温の噴流が使用者に向かうという問題もある。
【０００５】
特許文献２は、水平方向を向く気泡噴流噴出口と下方向を向く追焚噴流噴出口とを備えた循環アダプタであって、双方の噴出口に向かう噴流流路を形状記憶合金の作動によって切替える切替え弁を設け、湯水高温時は自動的に噴流流路を追焚噴流噴出口に向ける安全装置機能を有すると共に、常温時は気泡噴流噴出口に向けるよう構成した技術を提案している。
【０００６】
【特許文献１】特許第３００３２３１号公報
【特許文献２】特開平８−２９００２４号公報
【発明の開示】
【発明が解決しようとする課題】
【０００７】
一般的に、機構上、追焚噴流噴出口に比べて気泡噴流噴出口は小径にする必要がある。従って、特許文献２のアダプタでは、追焚運転が選択された場合、湯水が高温になり形状記憶合金が作動するまでの間は、気泡噴流流路が選択されるため、追焚噴流流路が選択される場合に比べて噴流流量が絞られたものとなり、追焚時間が長くなる。また、注湯運転が選択された場合も同様に湯水が気泡噴流噴出口から供給され、湯水供給時間が掛かる。しかも、安全上の観点から、所定の循環流量が確保されなければ風呂給湯器が着火作動しない安全装置を備える場合は、風呂給湯器の着火動作が行われず湯水の昇温ができない問題も生じる。
【０００８】
噴流流路の選択を全て電気制御で行うことも考えられる。当初から全ての運転モードを備えた風呂給湯システムを設置、導入するのであれば特定の循環アダプタに適合した噴流流路の選択制御を備付機能として織込むことも可能ではある。しかしながら、既に風呂給湯システムを保有している場合、所定の運転モードを追加しようとすると、その運転モード機能を備えた循環アダプタ単体だけを取替えることが一般的に行われる。つまり、運転モードの追加のため、制御系や電気配線まで全て変更することはコスト的に現実的ではない。
【０００９】
本発明の目的は、追焚運転モードと気泡運転モードとを切替え可能な循環アダプタにおいて、気泡噴流噴出口からの高温噴流を防止する安全装置機能を損なうことなく、両運転モードの自動切替えと手動切替えとを両立させることである。
【課題を解決するための手段】
【００１０】
本発明に係る循環アダプタは、追焚運転モードで追焚噴流を噴出する追焚噴流噴出口と、この追焚噴流噴出口と連通される追焚噴流流路と、気泡運転モードで気泡噴流を噴出させる気泡噴流噴出口と、この気泡噴流噴出口と連通される気泡噴流流路と、前記追焚噴流流路と気泡噴流流路とを択一的に選択する噴流流路選択手段とを有する。
【００１１】
請求項１の発明は、前記噴流流路選択手段は、噴流温度に応じて両噴流流路を択一的に選択可能な温度感応部材を有すると共に、前記両噴流流路を手動操作により切替え可能な手動操作部材を有することを特徴とする。
【００１２】
請求項１の発明では、噴流温度を検知可能な温度感応部材によって噴流流路が選択されるため、使用者による操作がなくても運転モードの自動切替えができると共に、噴流流路選択と湯水温度検出とが単一部材で行うことができる。また、手動操作部材を有するため、各運転モードの噴流流路を手動操作によって切替えることができる。
【００１３】
請求項２の発明は、請求項１に記載の発明において、前記噴流流路選択手段は、前記温度感応部材に作動的に連結された弁軸の一端側に装着された弁体を有し、前記手動操作部材を前記弁軸と直交する面方向への操作によって前記弁軸を移動させると共に、この弁軸の移動に伴い前記弁体を気泡噴流流路を選択する第１位置と追焚噴流流路を選択する第２位置とに亙って切替え可能に構成することを特徴とする。
【００１４】
請求項３の発明は、請求項２に記載の発明において、前記手動操作部材は、前記弁軸の他端側に固定された軸受け部材と、この軸受け部材に摺接可能で且つ前記弁軸と直交する面に対して傾斜した傾斜部を有する摺動部材とを有し、この摺動部材の移動によって前記軸受け部材が前記弁軸方向に進退可能に構成することを特徴とする。
【００１５】
請求項４の発明は、請求項３に記載の発明において、前記気泡噴流噴出口の周囲に円弧状に形成されると共に前記摺動部材の移動をガイドする円弧状溝部を設け、前記手動操作部材は、前記摺動部材を手動操作可能な操作部を有することを特徴とする。
【００１６】
請求項５の発明は、請求項３または４に記載の発明において、前記摺動部材に係合部を形成すると共に、前記摺動部材の係合部に係合可能で且つ前記摺動部材を前記弁体が第１位置となるよう前記軸受け部材を移動させる第１操作位置と前記弁体が第２位置となるよう前記軸受け部材を移動させる第２操作位置とに位置決めする被係合部を循環アダプタ本体側壁部に形成することを特徴とする。
【００１７】
請求項６の発明は、請求項５に記載の発明において、前記第１操作位置の前記傾斜部の前記壁部からの高さは前記第２操作位置の前記傾斜部の前記壁部からの高さよりも低く形成されると共に、前記温度感応部材は所定温度以上で前記弁体を第２位置に切替えることを特徴とする。
【発明の効果】
【００１８】
請求項１の発明によれば、気泡噴流噴出口からの高温噴流を防止する安全装置機能を損なうことなく、両運転モードの自動切替えと手動切替えとを両立可能とできる。つまり、運転モードの噴流流路を手動操作によって切替え可能であるため、使用者の要求に合致した噴流流路を選択できると共に、実際の湯水温度に基づき噴流流路選択可能な温度感応部材によって自動的に噴流流路を切替えるため、高温湯水に対する安全装置機能は維持することが可能となる。しかも、噴流流路選択と湯水温度検出が同一の部材である温度感応部材によって行われるため、湯水温度に対する応答性向上と部材削減を図ることができる。
【００１９】
請求項２の発明によれば、噴流流路選択手段の弁軸及び弁体の作動方向と手動操作部材の操作方向とを異ならせることができ、コンパクト化が図れる。また、手動操作部材は弁軸と直交する面方向への操作であるため、操作性に優れたものとなる。
【００２０】
請求項３の発明によれば、弁軸の軸受け部を利用した簡易な構成で噴流流路選択手段の弁軸及び弁体の作動方向と手動操作部材の操作方向とを異ならせることができる。更に、第１位置から第２位置に亙って連続的に操作可能となる。
【００２１】
請求項４の発明によれば、気泡噴流噴出口の周囲を利用して摺動部材の移動をガイドできるため、コンパクト化と意匠性とを両立することができる。
【００２２】
請求項５の発明によれば、摺動部材が軸受け部材を弁体が第１位置または第２位置となる位置で位置決めできると共に、目視することなく、操作の感触で摺動部材を位置設定可能となる。
【００２３】
請求項６の発明によれば、摺動部材が第１操作位置とされていても、温度感応部材の作動によって、弁軸及び弁体が第２位置、つまり、追焚噴流流路を選択することができ安全装置機能を作動できる。
【発明を実施するための最良の形態】
【００２４】
以下、本発明を実施する為の最良の形態について実施例に基づいて説明する。
【実施例】
【００２５】
図１に示すように、実施例の風呂供給システムは、浴槽１、風呂給湯器２、循環回路３及び循環アダプタ４から構成される。風呂給湯器２はガス等の燃焼部と熱交換部とからなる給湯用の第１熱供給部５と風呂追焚用の第２熱供給部６と水や湯水を循環させるためのポンプ７とから構成され、夫々の機器はコントローラ８によって制御される。
【００２６】
また、コントローラ８は操作パネル９に電気的に接続されており、使用者が操作パネル９上に設置されている運転モード毎に設けられた押し釦を押すことによって風呂の湯張指示や各種モード選択信号がコントローラ８に伝達され風呂給湯器２の作動が開始される。
【００２７】
給湯用である第１熱供給部５に関連する水や湯水の流通回路について説明する。導入路１０に導入された水が第１流量センサ１１を経て第１熱供給部５に供給され、排出路１２を通って浴槽１及びその他の給湯系装置に供給される経路となっている。
【００２８】
風呂追焚用である第２熱供給部６に関連する水や湯水の循環回路について説明する。循環回路３は復路１３と往路１４とから構成されている。ポンプ７の作動により循環アダプタ４から吸入された浴槽１の湯水は復路１３を経て第２熱供給部６で加熱されて往路１４を通り循環アダプタ４から浴槽１に供給される経路となっている。ポンプ７下流の復路１３には第２流量センサ１５が設けられ、安全上の観点から３．５Ｌ/分以上の流量がなければ第２熱供給部６の加熱動作は行われない。尚、排出路１２と復路１３とは分岐排出路１６で接続されており、その連通は電磁弁１７により制御される。
【００２９】
次に、循環アダプタ４について図２〜図６に基づいて説明する。
図２は循環アダプタ４の正面図、図３は循環アダプタ４を左から見た側面図、図４は図２のIV-IV線断面図、図５は図２のV-V線断面図、図６は図２のVI-VI線断面図を示す。
【００３０】
循環アダプタ４は、浴槽１の外側に配設される第１筒状体１８と、浴槽１の内部側から浴槽壁に貫通状に配設されて第１筒状体１８に螺合される第２筒状体１９とを有している。第１、第２筒状体１８，１９は夫々第１フランジ部１８ａと第２フランジ部１９ａとを備えており、環状パッキン２０，２１により浴槽壁とフランジ部１８ａ，１９ａとのシール性を確保している。
【００３１】
第２筒状体１９の内周側には、第２フランジ部１９ａにボルト２２により固定される切替弁ケース２３が配設され、この切替弁ケース２３の表面には水平方向に開口する気泡噴流噴出口２４と吸込口２５とが設けられると共に、槽底方向に向かって後述する横穴状の追焚噴流噴出口２６が形成されている。循環アダプタ４の浴槽側表面部分には、第２フランジ部１９ａと切替弁ケース２３とを覆う形で外カバー部材２７が装着されている。
【００３２】
第１筒状体１８の端壁部２８には、吸入管２９と吐出管３０と吸気管３１の３つのポート部分が形成されており、吸入管２９は往路１４と、吐出管３０は復路１３とに夫々連結されている。吸気管３１は、フィルタ、オリフィス及び逆止弁等を備えた図示しない吸気ユニットと吸気パイプを介して接続されている。
【００３３】
切替弁ケース２３は、第２筒状体１９の内周面に嵌合する外筒部３２と、外筒部３２と協働して複数の機能空間を形成する内筒部３３とを備える。つまり、外筒部３２と内筒部３３とによって切替弁ケース２３内部には、気泡噴流噴出口２４が設けられる円柱状の旋回室３４及び吸込口２５が設けられる吸込室３５、更に、後述するように、旋回室３４と並設されると共に連通路３６で接続される旋回予備室３７、旋回予備室３７と並設されると共に追焚噴流噴出口２６と連通可能な供給室３８及び旋回予備室３７と供給室３８とに対して反浴槽側に直列状に配置される吸入室３９の５つの機能空間が存在している。
【００３４】
旋回室３４には浴槽側先端が円錐形状の吸気ノズル４０が設置されている。この吸気ノズル４０の内部には吸気管３１と連通する吸気孔４１が設けられており、吸気孔４１から導入された空気を旋回室３４の長手方向中央部分に設けられた連通路開口４２に向けて供給するように構成されている。
【００３５】
図６に示すように、連通路３６はその接続方向が円柱状の旋回室３４に対して接線方向となるように連通されている。この構成により、旋回予備室３７から導入される湯水が旋回室３４の内周形状に沿って高速旋回することになり、空気の吸引、気泡の微細化及び所定周波数の超音波の発生等に適した旋回回転数を得ることができる。尚、本循環アダプタ４においては、旋回回転数を３０，０００〜４０，０００回転/分となるように構成されている。旋回予備室３７には、連通路開口４２の上流側に図示しない逆止弁が設置されており、吸入室３９からの湯水の流れのみを許容している。
【００３６】
図５,図６に示すように、切替弁ケース２３には、内筒部３３を貫通し、湯水の噴出口を気泡噴流噴出口２４と追焚噴流噴出口２６とに切替え制御する噴出口切替部材４３が設けられている。噴出口切替部材４３は、中央部分を内筒部３３に形成された受部４４によって摺動可能に支持される弁軸４５、弁軸４５の一端側である反浴槽側端部に装着される第１切替弁４６、第１切替弁４６と受部４４を挟んで他端側に設置された第２切替弁４７、第２切替弁４７よりも他端側である弁軸４５の浴槽側端部に固定された半球状の軸受け部材４８とから構成している。
【００３７】
第１切替弁４６は、旋回予備室３７と吸入室３９との連通状態を制御する遮断部４９と、この遮断部４９と並設され、吸入室３９と供給室３８とを常時連通させる連通部５０とで構成されている。第２切替弁４７は、供給室３８と連通する共に内筒部３３に形成されると共に第２切替弁４７より小径で且つ円筒形状の第１凹部５１を開閉可能としている。また、第１凹部５１の浴槽側には第１凹部５１より大径の第２凹部５２が一体的に形成されている。弁軸４５には、第１支持部５３と、吸入室３９側に形成される第２支持部５４とが構成されている。
【００３８】
受部４４に設けられる第１受座５５と第１支持部５３との間にはバイアスバネ５７が配置され、第２支持部５４と内筒部３３に固定される第２受座５６との間には形状記憶合金製バネ５８(温度感応部材)が配置されている。バイアスバネ５７と形状記憶合金製バネ５８との張力はバランスが保たれており、噴出口切替部材４３の位置、所謂第１切替弁４６と第２切替弁４７との状態は形状記憶合金製バネ５８の張力が変わらない限り変化しないように構成されている。第１切替弁４６と第２切替弁４７との位置関係は、第２切替弁４７が第１凹部５１を閉鎖している時は第１切替弁４６の遮断部４９が開弁し(第１位置)、逆に、遮断部４９が旋回予備室３７を閉鎖している時は第２切替弁４７が開弁(第２位置)するように構成されている。
【００３９】
具体的に説明すると、湯水が低温或いは常温時では、形状記憶合金製バネ５８は収縮状態となっている。この時、第２切替弁４７は第１凹部５１を閉弁すると共に遮断部４９は開弁していることから湯水は旋回予備室３７、連通路３６を経て旋回室３４に供給される。次に、高温の湯水、例えば５０℃の湯水が循環アダプタ４内に供給されると、形状記憶合金製バネ５８が温度変化に感応して伸張し、バイアスバネ５７が圧縮されて第２切替弁４７が開弁し遮断部４９が閉弁する。
【００４０】
次に、図７〜図１０に基づき、使用者の手動操作によって噴流流路を切替える手動操作部材について説明する。尚、図７，図９は、噴流ガイド部材６２を取外した循環アダプタの正面図を示し、図８は、図７のVIII-VIII線断面を示し、図１０は図９のX-X線断面を示す。外カバー部材２７の内側で、且つ切替弁ケース２３の浴槽側端面には、循環アダプタ本体側壁部を構成する樹脂製の内カバー部材５８が前記ボルト２２によって切替弁ケース２３に固定されている。
【００４１】
図７に示すように、内カバー部材５８は、気泡噴流噴出口２４の外周に設けられる第１噴流開口５９、第１噴流開口５９から浴槽側に向かって拡開する断面テーパ状に形成された正面視円状のテーパ部６０、テーパ部６０の一部下方領域に沿って形成される円弧状溝部６１、テーパ部６０上方位置に形成され、噴流ガイド部材６２と係合可能な第１係合穴６３、円弧状溝部６１下方位置に形成され、噴流ガイド部材６２と係合可能な第２係合穴６４、後述する摺動部材６５と第１操作位置で係合可能な第１突起部６６、摺動部材６５と第２操作位置で係合可能な第２突起部６７とから構成される。つまり、第１突起部６６と第２突起部６７とは、循環アダプタ本体側壁部である内カバー部材５８に一体形成されている。
【００４２】
円弧状溝部６１は、反浴槽側に弁軸４５と直交する、つまりアダプタ本体側壁部に略平行な底面６８と上壁６９と下壁７０と側壁７１，７２からなる断面略コ字状をなす凹所を有しており、この凹所内を底辺６８と上壁６９と下壁７０とにガイドされる断面矩形の摺動部材６５が摺動移動可能に収容されている。
【００４３】
円弧状溝部６１の底面６８の略中央部分には、弁軸４５の他端側部分を支持すると共に、弁軸４５を軸方向摺動自在に貫通させる貫通口６１ａが形成されている。摺動部材６５は、この摺動部材６５を左右方向移動自在に弁軸４５の他端側部分を貫通させる略円弧状に形成された円弧状貫通口７９と、この円弧状貫通口７９の周囲に形成され、軸受け部材４８に摺接可能で且つ弁軸４５と直交する面、所謂底面６８に対して傾斜すると共に、断面半円状で軸受け部材４８に接触する傾斜部７３と、摺動部材６５左側端部に浴槽側に向かって延設された操作部７４とから構成する。
【００４４】
傾斜部７３は、浴槽側に対する底面６８からの高さが、右側に向かうに従って高くなるように構成している。つまり、操作部７４を右側端部位置(第１操作位置)に手動操作すると、摺動部材６５が円弧状溝部６１内を右側に摺動移動し、バイアスバネ５７が形状記憶合金製バネ５８の張力よりも強い場合、傾斜部７３に摺接する軸受け部材４８は傾斜部７３に沿って反浴槽側に移動する。一方、操作部７４を左側端部位置(第２操作位置)に手動操作すると、摺動部材６５が円弧状溝部６１内を左側に摺動移動し、バイアスバネ５７が形状記憶合金製バネ５８の張力よりも強い場合、傾斜部７３に摺接する軸受け部材４８は傾斜部７３に沿って浴槽側に移動する。
【００４５】
従って、軸受け部材４８が傾斜部７３に摺接している場合、傾斜部７３の浴槽側に対する底面６８からの高さは、図７に示すように、操作部７４を右側端部位置(第１操作位置)に手動操作したとき、弁軸４５を第２切替弁４７が閉弁し遮断部４９が開弁する第１位置(図６)になり、図９に示すように、操作部７４を左側端部位置(第２操作位置)に手動操作したとき、弁軸４５を第２切替弁４７が開弁し遮断部４９が閉弁する第２位置になるように設定されている。
【００４６】
また、図８に示すように、操作部７４を右側端部位置(第１操作位置)に手動操作した場合であっても、湯水温度が高温になると、形状記憶合金製バネ５８が温度変化に感応して伸張し、バイアスバネ５７が圧縮されるため、軸受け部材４８が傾斜部７３から離れ、浴槽側に摺動移動し、弁軸４５を第２切替弁４７が開弁し遮断部４９が閉弁する第２位置になるように構成されている。
【００４７】
操作部７４のアダプタ本体側底面には、第１突起部６６及び第２突起部６７と係合可能な凹部８０が形成されており、操作部７４が第１操作位置或いは第２操作位置に手動操作された場合、第１突起部６６及び第２突起部６７と係合し、摺動部材６５を位置決め可能で且つ使用者に所定の節度感を与えるように構成している。
【００４８】
噴流ガイド部材６２は、アダプタ本体側壁部中央部分に対応して、第１噴流開口５９と同径の第２噴流開口７５と、三日月状の操作開口７６と、第１係合穴６３に係合する第１係合部７７と、第２係合穴６４に係合する第２係合部７８とにより構成する。噴流ガイド部材６２の外縁側部は、第１係合部７７と第２係合部７８とにより内カバー部材５８に連結されており、その他の領域は内カバー部材５８と離間している。この操作開口７６及び外縁側部の離間空間により、気泡運転モードの際、噴流ガイド部材６２の外側から気泡噴流噴出口２４に湯水の流れを還流させることができる。
【００４９】
次に、各運転モードについて説明する。
循環アダプタ４は、注湯運転モード、追焚運転モード、気泡運転モードの３つの運転モードが実行可能である。尚、使用者は、操作パネル９上の押し釦で何れかの運転モードを選択するようになっている。
【００５０】
（注湯運転モード）  
操作部７４をノーマル、所謂第２操作位置に操作し、操作パネル９で注湯運転モードを選択すると、水が導入管１０に導入され第１熱供給部５に移動した水は加熱された後、排出管１２に進行する。この時、コントローラ８の指示により、電磁弁１７が開作動して湯は分岐排出管１６を経由して復路１３に導かれて一部の湯水は復路１３から循環アダプタ４へ導入され、吸込口２５から供給される。尚、吸込口２５から湯水が供給されるのは注湯運転モードの時のみである。
【００５１】
また、残りの湯水は往路１４を通り吸入室３９に導入される。吸入室３９に導入された湯水の温度（例えば、５０℃）を吸入室３９内部に設置された形状記憶合金製バネ５８が温度感応して伸張し、第１切替弁４６が旋回予備室３７への経路を遮断すると共に第２切替弁４７を開作動する。湯水を供給室３８、第１凹部５１及び第２凹部５２を経由した後、浴槽下向きの追焚噴流噴出口２６に送られる。以上により浴槽への注湯が行われる。
【００５２】
（追焚運転モード）
操作部７４をノーマルに操作し、操作パネル９上で追焚運転モードを選択すると、コントローラ８の指示によりポンプ７及び第２熱供給部６が作動を開始し、浴槽内の湯水を吸込口２５から復路１３に導入する。第２熱供給部６により加熱された湯水は往路１４を通り吸入室３９に導入される。吸入室３９以降の経路は注湯運転モードと同様である。尚、電磁弁１７は非作動となっており、分岐排出管１６と循環回路３との接続は遮断されている。
【００５３】
（気泡運転モード）
操作部７４をバブル、所謂第１操作位置に操作し、操作パネル９上で気泡運転モードを選択すると、コントローラ８がポンプ７を作動させ、浴槽内の湯水を吸込口２５から吸込室３５を経て復路１３に導入する。この時、第２熱供給部６は作動しておらず、復路１３に導入された温度のまま湯水は循環し往路１４を通り吸入室３９に導入される。吸入室３９内部に設置された形状記憶合金製バネ５８がこの湯水温度に感応して、残留している湯水の温度により形状記憶合金製バネ５８が伸張している場合は収縮動作を行い、第２切替弁４７を閉弁すると共に第１切替弁４６を開弁動作させる。尚、既に形状記憶合金製バネ５８が収縮している場合は、その状態を維持することになる。
【００５４】
吸入室３９から旋回予備室３７に入った湯水は連通路３６を通り連通路開口４２から旋回室３４に導入される。連通路３６は旋回室３４の接線方向に接続されているため、湯水は旋回室３４の長手方向の中心軸を中心に高速旋回を行い、所定の負圧が旋回室３４内に発生する。この負圧により吸引された空気は吸気孔４１から旋回室３４の中央部分に吸引され、湯水と混合され、気泡混合湯水が旋回しながら水平方向に開口する気泡噴流噴出口２４から噴出される。
【００５５】
（安全装置機能）  
最後に、安全装置機能について説明する。操作部７４をバブル、所謂第１操作位置に操作し、操作パネル９上で追焚運転モードを選択すると、コントローラ８の指示によりポンプ７及び第２熱供給部６が作動を開始し、浴槽内の湯水を吸込口２５から復路１３に導入する。第２熱供給部６により加熱された湯水は往路１４を通り吸入室３９に導入される。
【００５６】
当初、軸受け部材４８が傾斜部７３に摺接しているため、弁軸４５を第２切替弁４７が閉弁し遮断部４９が開弁する第１位置となっているが、形状記憶合金製バネ５８が伸張して弁軸４５を第２位置、所謂軸受け部材４８と傾斜部７３とが離間する状態に切替え、高温の湯水を追焚噴流噴出口２６に誘導する。尚、操作部７４をバブルに操作した状態で、注湯運転モードを選択した場合も、形状記憶合金製バネ５８が伸張して弁軸４５を第２位置に自動的に切替える。
【００５７】
次に、前記実施例を部分的に変更した変形例について説明する。
１〕前記実施例においては、３つの運転モードを実現可能な例について説明したが、追焚運転モードと気泡運転モードとの２つの運転モードを備えるもの或いは、更に多くの運転モードを備えるものについても、本発明の循環アダプタを適用できる。
【００５８】
２〕前記実施例においては、追焚噴流噴出口と気泡噴流噴出口とを切替える第１切替弁と第２切替弁とを同軸上に設けた例について説明したが、２つの弁を独立して備えるものについても、本発明の循環アダプタを適用できる。
【００５９】
３〕前記実施例においては、循環アダプタ本体側壁部を内カバー部材とし、内カバー部材に第１突起部と第２突起部とを形成した例について説明したが、循環アダプタ本体側壁部を切替弁ケース、或いは外カバー部材とするものについても、本発明の循環アダプタを適用できる。
【００６０】
４〕その他、当業者であれば、本発明の趣旨を逸脱することなく、前記実施例に種々の変更を付加した形態で実施可能であり、本発明はそのような変更形態も包含するものである。
【図面の簡単な説明】
【００６１】
【図１】実施例の風呂給湯システムの全体説明図である。
【図２】循環アダプタの正面図である。
【図３】循環アダプタの側面図である。
【図４】図２におけるIV-IV線断面を示す図である。
【図５】図２におけるV-V線断面を示す図である。
【図６】図２におけるVI-VI線断面を示す図である。
【図７】操作部をバブル操作したときの噴流ガイド部材を取外した循環アダプタの正面図を示す。
【図８】図７におけるVIII-VIII線断面を示す図である。
【図９】操作部をノーマル操作したときの噴流ガイド部材を取外した循環アダプタの正面図を示す。
【図１０】図９におけるX-X線断面を示す図である。
【符号の説明】
【００６２】
１      浴槽
４      循環アダプタ
２４    気泡噴流噴出口
２５    吸込口
２６    追焚噴流噴出口
３４    旋回室
３６    連通路
３７    旋回予備室
３８    供給室
４３    噴出口切替部材
４５    弁軸
４６    第１切替弁
４７    第２切替弁
４８    軸受け部材
５８    形状記憶合金製バネ
６１    円弧状溝部
６５    摺動部材
７３    傾斜部
７４    操作部  
【図１】
2010096385.tif 000003
【図２】
2010096385.tif 000004
【図３】
2010096385.tif 000005
【図４】
2010096385.tif 000006
【図５】
2010096385.tif 000007
【図６】
2010096385.tif 000008
【図７】
2010096385.tif 000009
【図８】
2010096385.tif 000010
【図９】
2010096385.tif 000011
【図１０】
2010096385.tif 000012